Podtech/llm-jp-corpus-v4-ja_patent huggingface dataset:
(57)【要約】      （修正有）【課題】一般的に食膳用の箸はどれも形や色がよく似ている作りであるため、複数の箸が収納されている箸入れの中から箸を対で探し出すときには、箸の数が多いほど困難さが伴っている訳である。それも、他の箸を確認のため一旦、取り出したりして触ることが多かったことで、衛生面においても欠点があることを、本考案は同時に解消するものである。【解決手段】本考案は、箸入れ本体（１）に６等分にして穴（２）を空けた蓋（３）をはめることによって、箸（４）の収納と取出しが一膳ずつできるようにした。更に正確さと速やかさを追及した結果、当該箸入れの側面上部に、箸の所有者（５）を標示した透明保護フィルム付（６）のシール（７）を貼付して箸の判別がし易くすることで、課題を解決している。【選択図】図１
0003126162.tif 000002
【実用新案登録請求の範囲】
【請求項１】
一所帯で６人の人数を上限にして一般家庭で使う食卓用の箸入れを考案した場合、箸入れに６等分にして穴を空けた蓋をはめることで、箸の収納と取り出しが一膳ずつできるようにした。
【請求項２】
箸入れの側面上部にネーム等を標示したシールを貼付して箸の所有者を明示することで、正確かつ速やかに箸の収納と取り出しが一膳ずつできるようにした。
【考案の詳細な説明】
【技術分野】
【０００１】  本考案は、箸入れに６等分にて穴を空けた蓋をはめることと、その箸入れの側面上部にシールを貼付して箸の所有者を明示することで、箸の収納と取り出しが一膳ずつできるようにした食卓用の箸入れである。
【背景技術】
【０００２】  従来の箸入れの中は、無造作に複数の箸が収納された状態であった。
【考案の開示】
【考案が解決しようとする課題】
【０００３】  一般的に食膳用の箸はどれも形や色がよく似ている作りであるため、複数の箸が収納されている箸入れの中から箸を対で探し出そうとするときには、箸の数が多いほど困難さが伴っている訳である。それも、他の箸を確認のため一旦、取り出したりして触ることが多く、衛生面において欠点があるのも事実である。
【課題を解決するための手段】
【０００４】  一所帯で６人の人数を上限にして一般家庭で使う食卓用の箸入れを考案した場合、当該箸入れに６等分にして穴を空けた蓋をはめることと、その箸入れの側面上部にシールを貼付して箸の所有者を明示することで、箸の収納と取り出しが一膳ずつできるようにしたことによって、問題を解決している。
【考案の効果】
【０００５】  本考案は、箸が一膳ずつ６箇所の穴に収められた箸入れの中に、たとえ似ている箸が有っても、又は箸先を上にして収納された箸で有ったとしても、箸入れの側面上部にネーム等を標示したシールを貼付して箸の所有者を明示してあることによって、誰もが箸入れを一見しただけで、正確かつ速やかに箸を一膳ずつ取り出すことができるのである。
また、従来の箸入れのように、複数の箸が収納されている箸入れの中から箸を対で探し出そうとするとき、他の箸を確認のため一旦、取り出したりして触るようなことがなくなり、衛生面においも優れている箸入れである。
更に、この箸入れは単に利便性と衛生面に優れるだけではなく、箸入れの側面上部にシールでネーム等を明示して食卓上に常備されている関係上、いつも家族の存在感や一体感が実感できて、家庭円満の一翼を担う箸入れと言える。
【考案を実施するための最良の形態】
【０００６】  一所帯で６人の人数を上限にして一般家庭で使う食卓用の箸入れを考案した場合、プラスチック等でできた円柱の箸入れに対して、円の中心を基準にして６等分にして穴を空けた蓋をはめるのである。この場合、箸入れ本体の高さは、収納しようとする箸の平均的な長さに対して、概ね三分の一程度が蓋から露出するくらいにすると共に、その箸入れの側面上部にはシールを貼付して箸の所有者を明示することで、簡単に箸の収納と取り出しができるようにしたものである。
【実施例】
【０００７】  本考案は、箸入れに６等分にして穴を空けた蓋をはめることで、箸の収納と取り出しが一膳ずつできるようにしているが、当然ながら６人以下であっても当該箸入れの使用は可能である。また、応用によっては箸入れの蓋を２から５等分あるいは７から８等分くらいまでに変更して製作することも可能である。【０００８】  本考案の箸入れは材質をプラスチック製としたが、ステンレス製あるいは木製など箸入れの形態を維持できればどんな材質でも可能である。また、本考案の箸入れは、本体の形状を円柱にしているが、場合によっては４人家族向きの四角柱や５人家族向きの五角柱などと多様な形にすることも可能である。ただし、箸入れ本体の高さは、収納しようとする箸の平均的な長さに対して、概ね三分の一程度の７センチくらいが蓋から露出するようにしなければならない。【０００９】  箸を通す箸入れの蓋の穴については、形や大きさを本考案のような扇形にしなくても、たとえば可憐なハート形にするとか又はごく単純に丸形や正方形にしたとしても、箸が出し入れできる一膳以上のスペースが確保してさえあれば、どんな形の穴であっても有効である。【００１０】  シールの標示内容については、家族たちの実名あるいは愛称を白紙のシールに自筆で記入する方法と、家族たちのイラストあるいは家族の中で一番年下の者が年上の者を指した呼称をあらかじめシールに印刷しておく方法があるが、いずれの場合も箸入れを販売するにあたって用意しておく必要がある。本考案は家族の呼称をシールに印刷してあるものを採用した。【００１１】  印刷しておくシールは、具体的には下記のとおりである。
１枚だけ印刷しておくシールは、お父さん・お母さん・お爺さん・お婆さん・私の文字、並びにそのイラスト
２枚程度印刷しておくシールは、お兄さん・お姉さんの文字、並びにそのイラスト。【００１２】  シールを貼付する位置については、穴の空いた蓋をはめた直近が見やすいと判断して、箸入れの側面上部に貼付した。そのことで、６等分の仕切り範囲も明確にすることができた。【００１３】  防水効果のある透明保護フィルムは、箸入れを洗ったときにネーム等の標示が消えないようにするため、シールの上面をすべて覆うようにして貼付した。
【図面の簡単な説明】
【００１４】
【図１】一般家庭で使う食卓用箸入れの実施例を示す正面図である。
【符号の説明】
【００１５】    １  箸入れ本体
２  穴
３  蓋
４  箸
５  所有者
６  透明保護フィルム
７  シール
【図１】
0003126162.tif 000003
【手続補正書】
【提出日】平成18年7月18日(2006.7.18)
【手続補正１】
【補正対象書類名】実用新案登録請求の範囲
【補正対象項目名】全文
【補正方法】変更
【補正の内容】
【実用新案登録請求の範囲】
【請求項１】
箸入れ本体と、２〜８等分にして穴を空けた蓋との組合せからなる食卓用箸入れ。
【請求項２】
前記箸入れ本体の側面上部に貼付するためのネーム標示用のシールを更に組み合わせてなる請求項１記載の食卓用箸入れ。
(57)【要約】【課題】アップライトピアノの内部で、非使用時に空気のよどみやすい鍵盤の下を、乾燥剤により効果的に乾燥する方法。【解決手段】アップライトピアノの鍵盤下の空間に、直接設置できる乾燥剤を考案した。鍵盤下の空間は狭く、高さにも制限があるため、その形状を、厚みの少ない帯状シートタイプとした。また、ピアノの機種により、鍵盤下底部に凹凸があることから、障害物がある場合、乾燥剤を裁断して使用できるように、シール面をカットできるように設定した。【選択図】図４
0003126151.tif 000002
【実用新案登録請求の範囲】
【請求項１】
アップライトピアノの鍵盤下に設置できる、裁断可能の帯状乾燥剤。
【考案の詳細な説明】
【技術分野】
【０００１】本考案はアップライトピアノの鍵盤下に使用する乾燥剤に関する。
【背景技術】
【０００２】従来の乾燥剤は、アップライトピアノの底板の上に設置していた（図１参照）
【考案の開示】
【考案が解決しようとする課題】
【０００３】しかし、この場所での乾燥剤の設置では、アップライトピアノの構造的理由により、鍵盤下の空間の乾燥効果を得にくい。また、従来あるピアノ用乾燥剤はいずれも底板に載せることを前提として作られたもので、縦、横のサイズ、および高さにおいても鍵盤の下に設置できない。
【課題を解決するための手段】
【０００４】そこでアップライトピアノの鍵盤下の空間に、直接設置できる乾燥剤の形状を考案した。（図２）鍵盤下の空間は、ピアノに向かって手前にフロントピン、その後方にバランスピンが横一列に配置され、８８個の鍵盤を支える。（図３参照）そのため鍵盤下の空間は、中央に位置するバランスピンにより前後２箇所に仕切られ、その幅は両サイドの拍子木まで続く。高さはピアノを弾くと鍵盤が下がるため制限がある。この限られた空間に使用する乾燥剤として、本考案である帯状シートタイプを形状とした。この乾燥剤の設置場所は、バランスピン前後の２箇所の空間（図３  符１）とする。【０００５】また、ピアノの鍵盤下底部（図３  符２）に凹凸がある場合がある。その際は乾燥剤の長さを調整する必要があるため、切り離しができるように薬剤の入る分包と分包の間のシール面を、裁断ができる部分として設定した。（図２参照）
【考案の効果】
【０００６】よって、本考案の乾燥剤により、鍵盤下の空間に横一列に並ぶピン類、クロス等の重要部品に並列して乾燥剤を設置できる。構造的に空気のよどみがある部分に、ピアノの機能を損なうことなく乾燥剤を設置することにより、金属部分の結露、フェルトなどの湿気による膨張、および木部のカビ発生を予防する。
本考案の乾燥剤の設置、および交換についてはピアノ調律師が定期調律の際に行うことができる。
【考案を実施するための最良の形態】
【０００７】本考案に係る乾燥剤の本体の長さは１２００ｍｍを理想とする。（図２）
この長さは、ほとんどのピアノの鍵盤下に設置可能である。【０００８】次にシール部分は、幅１０ｍｍ程度を理想とする。これは裁断する場合の作業を容易にする以外に、シール部分の下側で空気の通過を良くする意味もある。（図４参照）【０００９】薬剤を充填する包材については、反響音防止、通気性を考えると不織布が望ましい。
【図面の簡単な説明】
【００１０】
【図１】アップライトピアノの断面図
【図２】本考案に係るアップライトピアノ鍵盤下用乾燥剤の平面図
【図３】横からみた鍵盤下の構造
【図４】本考案に係るアップライトピアノ鍵盤下用乾燥剤の断面図
【符号の説明】
【００１１】１．バランスピン前後の２箇所の空間
２．鍵盤下底部
【図１】
0003126151.tif 000003
【図２】
0003126151.tif 000004
【図３】
0003126151.tif 000005
【図４】
0003126151.tif 000006
【手続補正書】
【提出日】平成18年7月13日(2006.7.13)
【手続補正１】
【補正対象書類名】実用新案登録請求の範囲
【補正対象項目名】全文
【補正方法】変更
【補正の内容】
【実用新案登録請求の範囲】
【請求項１】
アップライトピアノの鍵盤下の空間に、バランスピンおよびフロントピンに並列して設置することができる帯状の乾燥剤。
(57)【要約】【課題】本考案は、温度変化に対して確実な形状回復と鋭い激力を持たぬため火災等の火急の場合の温度センサーとしては十分な信頼性に欠ける形状記憶合金を信頼のおける形で利用することができる熱感知構造を得ることにある。【解決手段】形状記憶合金製の円形容器の中心軸が金属環の中心軸と一致するように金属環の中に置き、円形容器の不均質や製造工程による異方性があっても、全円周が作動要素となる容器の開口部を直接に電流回路のスイッチとして用いる熱感知構造を構成する。【選択図】図１
0003126157.tif 000002
【実用新案登録請求の範囲】
【請求項１】
リード線が固着されている金属環の中にリード線が固着されている形状記憶合金製の円形容器を同心円をなすように配置し、該容器の開口部の直径が熱により記憶していた大きな寸法に戻り該金属環の内側に接触する構造。
【考案の詳細な説明】
【技術分野】
【０００１】  本考案は、形状記憶合金の熱による記憶形状への回復を利用する熱感知器に関する。
【背景技術】
【０００２】  温度による作動スイッチとして形状記憶合金は注目され、また一部利用されている。火災報知器は一度火災があって作動すれば、そこで良しとされる基本的には使い捨て機器である。それゆえ温度に対して可逆的に作動する必要のない一方向形状記憶合金が広く用いられて良い代表的利用分野であり、形状記憶合金を警報電流回路の一部として組み込み、電流を直接オンオフするタイプや、形状記憶合金を回路の開閉スイッチを作動させるアクチュエイターとして用いる間接タイプに機器は大別される。【０００３】  しかしながら、回路の一部としてオンオフを直接に、あるいは間接に制御する従来までの形状記憶合金を用いる機器の方式は、湾曲して離れていた先端部が熱により対向する相手端子に接触する方持ち梁、もしくは軸方向の伸縮をアクチュエイターとしてのバネを利用するものであり、狭い温度範囲で鋭く記憶形状に戻る特性や再現性に形状記憶合金は優れているとは言えず、信頼性に欠けるという難点があった。
【考案の開示】
【考案が解決しようとする課題】
【０００４】  本考案は、形状記憶合金の上記欠点をふまえて、形状記憶合金を組み込んであるものの、それでも火急時の信頼に足りる新しい熱感知構造を提供する事を目的としている。
【課題を解決するための手段】
【０００５】  上記目的を達成するために、板材から梁として切り出された方向のみの特性に依存する方持ち梁のブレイカー方式や、鋭い激力に欠けるバネを利用するアクチュエイターで回路を間接的にオンオフする方式を排除し、形状記憶合金板の全方位が働くようにして特性のばらつきを回避すると共に激力に依存するアクチュエイターでは無いブレイカー方式を用いる。本考案では警報回路につながるリード線が固着されている形状記憶合金の円形容器を、警報回路のもう一方につながるリード線が固着されている環状金属の中に同心円をなすように配置し、前記容器の開口部の直径が熱により記憶していた大きな寸法に戻り環状金属の内側に接触する構造にして、円形容器の開口部の一部さえ環状金属の内側に接触すれば警報回路を閉回路とする構造にして信頼度を実用のレベルまでに引き上げる。
【考案の効果】
【０００６】  以上の説明から明らかなように、本考案にあっては次の効果が得られる。円形容器の全円周を利用するため、あたかも方持ち梁を全周に配した形になるため、梁一個の熱感知特性が不良で警報回路が作動しない不安を払拭でき、また円形容器が絞り加工で作られた場合は生じた残留応力が元の平板に戻す方向に働き形状記憶効果による回復力と相乗して形状回復をさらに確実なものにできる。また環状金属の中に同心円をなすように形状記憶合金の円形容器が配置するという簡単な構造であるため大幅な製造費用の低減となる。
【考案を実施するための最良の形態】
【０００７】  以下、実施例に基づいて、この考案を更に詳細に説明する。
【実施例１】
【０００８】  図１は、本考案の熱感知構造の上面図とその断面図である。銅製の環２の中心に深絞り加工で造られた形状記憶合金製の缶１が通電用のリード線３に懸架されている。缶１は外にある環の内径よりその開口部の直径が大きいように製造されており、マルテンサイト開始温度より低温で開口部を絞り、缶底にスポット溶接にてリード線を固着したものを環の中央に置いてある。缶底から来る摂氏８０度を越える熱により開口部Ｃは元の寸法に回復し外側の銅製の環にＤのように接し、リード線３とリード線４が開口部を介して繋がり電池と警報ベルからなる外部の警報回路が閉じて警報ベルが鳴る。
【図面の簡単な説明】
【０００９】
【図１】  本考案を実施するための最良の形態の、金属環の中に同心円をなすように配置された形状記憶合金製円形容器とリード線からなる熱感知構造の図である。
【符号の説明】
【００１０】  １  形状記憶合金製円形容器
２  銅製の環
３  リード線
４  リード線
【図１】
0003126157.tif 000003
【手続補正書】
【提出日】平成18年7月8日(2006.7.8)
【手続補正１】
【補正対象書類名】実用新案登録請求の範囲
【補正対象項目名】請求項１
【補正方法】変更
【補正の内容】
【請求項１】
リード線が固着されている金属環の中にリード線が固着されている形状記憶合金製の円形容器を同心円をなすように配置し、該容器の開口部の直径が熱により記憶していた大きな寸法に戻り該金属環の内側に接触する熱感知器。
(57)【要約】      （修正有）【課題】部屋の内部の環境を過酷な自然環境と同じように、温度、湿度、風力、酸素濃度を自由自在に調節できる、組み立て及び解体が容易に可能な自然環境簡易トレーニングルームを提供する。【解決手段】次のような手段を講じる。（１）トレーニングルーム内にエアコンのような温度調節器を備える。（２）トレーニングルーム内に加湿器・除湿器のような湿度調節器を備える。（３）トレーニングルーム内に扇風機のような風力調節器を備える。（４）トレーニングルーム内に酸素含有調節器を備える。（５）金属・木製または合成樹脂等の軽量簡易建材で組み立てや解体が容易にできる簡易工法でつくれるトレーニングルームとする。【選択図】図１
0003126158.tif 000002
【実用新案登録請求の範囲】
【請求項１】
金属・木製または合成樹脂等の軽量簡易建材でつくられており、温度調節器・湿度調節器・風力調節器および酸素濃度調節器が設置されており、部屋の内部の環境を過酷な自然環境と同じように、温度、湿度、風力、酸素濃度を自由自在に調節できる、組み立て及び解体が容易に可能な自然環境簡易トレーニングルームである。
【考案の詳細な説明】
【考案の詳細な説明】
【技術分野】
【０００１】  本考案は，マラソン選手その他の運動選手が苛酷な自然環境に対応できる運動能力を養成するために、温度調節，湿度調節，風力調節，酸素濃度調節を自在に行い、内部の環境を苛酷な自然環境と同等のものにすることができ、比較的簡易にグランドや体育館の隅に設置できる自然環境簡易トレーニングルームである。
【背景技術】
【０００２】  従来のトレーニングルームはランニングベルトなどの器具その他の設備だけで、自然環境の再現をはかっていない。また苛酷な自然環境を作り出すシステムは大型で非常にコストも高い。
【考案が解決しようとする課題】
【０００３】  以上のように，従来の技術ではいろいろな問題を抱えている。そこで本考案において，解決しようとする課題は次のようなものである。
▲１▼  トレーニングルーム内の温度を高くしたり低くしたりする。
▲２▼  トレーニングルーム内の湿度を高くしたり低くしたりする。
▲３▼  トレーニングルーム内の風力を強くしたり弱くしたりする。
▲４▼  トレーニングルーム内の空気中酸素の濃度を多くしたり少なくしたりする。
▲５▼  トレーニングルームを低いコストで簡易につくれるようにする。
【課題を解決するための手段】
【０００４】  本考案は，この目的を達成するために次のような手段を講じる。
▲１▼  トレーニングルーム内にエアコンのような温度調節器を備える。
▲２▼  トレーニングルーム内に加湿器・除湿器のような湿度調節器を備える。
▲３▼  トレーニングルーム内に扇風機のような風力調節器を備える。
▲４▼  トレーニングルーム内に酸素濃度調節器を備える。
▲５▼  金属・木製または合成樹脂等の軽量簡易建材で組み立てや解体が容易にできる簡易工法でつくれるトレーニングルームとする。
【考案を実施するための最良の形態】
【０００５】  本考案のもっとも好ましい実施の形態を添付図の図１に基づいて説明する。
図１において，１はトレーニングルームの軽量簡易建材でつくられたトレーニングルームの天井・床及び壁である。２は温度調節器である。３は湿度調節器である。４は風力調節器である。５は酸素濃度調節器である。
【考案の効果】
【０００６】  本考案による自然環境簡易トレーニングルームを使用することによって，次のような効果がある。
▲１▼  トレーニングルーム内において高温や低温の過酷な自然環境と同じ環境が現出する。
▲２▼  トレーニングルーム内において高湿度や低湿度の過酷な自然環境と同じ環境が現出する。
▲３▼  トレーニングルーム内において強風などの苛酷な自然環境と同じ環境が現出する。
▲４▼  トレーニングルーム内において高所における低酸素状態のような過酷な自然環境と同じ環境が現出する。
以上のような環境をもつトレーニングルームを大型のものとせず、軽量簡易建材を使用して簡易工法でつくるので、低いコストでグランドや体育館の隅に設置でき、日常のトレーニングに役立てることができる。
【図面の簡単な説明】
【０００７】
【図１】  本考案による自然環境簡易トレーニングルームそのものを横から見たときの完成図である。
【符号の説明】
１…………軽量簡易建材でつくられたトレーニングルームの天井・床及び壁である
２…………温度調節器である
３…………湿度調節器である
４…………風力調節器である
５…………酸素濃度調節器である
【図１】
0003126158.tif 000003
【手続補正書】
【提出日】平成18年7月7日(2006.7.7)
【手続補正１】
【補正対象書類名】実用新案登録請求の範囲
【補正対象項目名】全文
【補正方法】変更
【補正の内容】
【実用新案登録請求の範囲】
【請求項１】
金属・木製または合成樹脂等の軽量簡易建材でつくられており、温度調節器・湿度調節器・風力調節器および酸素濃度調節器が設置されており、部屋の内部の環境を過酷な自然環境と同じように、温度、湿度、風力、酸素濃度を自由自在に調節できる、組み立て及び解体が容易に可能な自然環境簡易トレーニングルーム。
(57)【要約】      （修正有）【課題】  近年ファッションなどバッグも多様化し又生活小物も増え、本新案の無い場合バッグの中はぐちゃぐちゃで又バッグが変わるたび何を入れ替えたか不明であることがあり忘れ物、ひどい場合は紛失にいたる、毎日が忙しい中持ち物のパターン化が急がれる。【解決手段】先ず小物を整理する為縦向きに自立する心材１を持ちいろいろな形態の小物がしなやかに入るポケット３つき中仕切りをファスナー２など連結金具を用いて組み合わせ、又分割することが出来るようにし、ネームプレートを付加し、所定の場所に収納物が必ずあることとした。さらにバッグの変形防止の為中仕切りを自立させた。【選択図】図１
0003126129.tif 000002
【実用新案登録請求の範囲】
【請求項１】
バッグに入れるいろいろな小物を独自に収納する整理収納具で自立できる中仕切りにポケットが付いたバッグの整理収納具。
【請求項２】
請求項１記載の整理収納具において、バッグとは関係なく小物単独での出し入れ又収納具全体の出し入れが簡単に出来る分割可能な中仕切り構造を特徴とするバッグの整理収納具。
【請求項３】
請求項１記載の整理収納具において、大きさ形状の違うバッグにも、基本形から随時用途に合わせつけたりはずしたり出来、収納の種類又大きさが変化することが出来ることを特徴とするバッグの整理収納具。
【考案の詳細な説明】
【技術分野】
【０００１】
本考案はビジネス、ファッション様々なバッグに対応し各種形態の小物を整理し又バッグが変わっても、略同じ整理状態を保ったまま入れ替えが簡単に出来るバッグの整理収納具に関するものである。
【背景技術】
【０００２】
従来のバッグはいろいろ入れるところはあるが収納物の大きさが合わないためバッグの底に詰め込まれた状態になる。又、カバンを変えた場合には、何を入れ替えればよいか又どこに入れればよいか悩むことが多く結果的に入れ忘れ、ダブり、又収納物が底にたまるのでバッグの形が変わるといった欠点を有していた。
【考案の開示】
【考案が解決しようとする課題】
【０００３】
バッグの付属の各種ポケットをバッグから独立させ、ファスナーなどで繋ぎ逢わせることが出来る単品組み合わせによりいろいろなバッグに対応できることにより財布、携帯電話、ペン、鍵などを基本形とし、追加として化粧品、めがねケース、カード類などを、好きなバッグに即座に入れ替え、入れ忘れ物の防止、バッグ自体の変形防止が可能である。
最大の特徴としては、収納物がバッグの底に溜まらないのでバッグが変わっても所定の場所（ポケット）から取り出せる、もしそのポケットに無ければ、紛失、置忘れなども防止できる。
【課題を解決するための手段】
【０００４】
本考案は、上記の課題を解決する為に先ず小物を整理する為縦向きに自立する心材を持ちいろいろな形態の小物がしなやかに入るポケットつき中仕切りをファスナーなど連結金具を用いて組み合わせ、又分割することが出来るようにし、ネームプレートを付加し、所定の場所に収納物が必ずあることとした。さらにバッグの変形防止の為中仕切りを自立させた。
【考案の効果】
【０００５】
大きさの異なる形態のバッグにも分割可能である為、そのまま入れ替えることが出来ることにより、バッグが変わっても整理場所が変わらないため入れ忘れなどの防止、又自立する中仕切りによりバッグの変形を防止することが出来る。
【考案を実施するための最良の形態】
【０００６】
各種形態の小物の大きさをパターン化し余裕を持ってポケットの大きさを決め縦横の組み合わせが出来る寸法の決定により基本形を決める。
【実施例】
【０００７】
図４は各種形態の小物の大きさを決定し１モジュールとその倍のモジュールの組み合わせを想定し投げ込みバッグに自立させた例である。
【０００８】
図５はセカンドバックに最小限の組み合わせ例を示し、携帯電話、財布、カードケース、鍵、筆記用具、名刺入れ、の６点セット例を示す。
【図面の簡単な説明】
【０００９】
【図１】本考案の大きなバッグでの例。
【図２】本考案の小さなバッグでの例。
【図３】本考案の最小単位の小物入れの側面図。
【図４】本考案の最小単位の小物入れの正面図。
【図５】本考案の最小単位の小物入れの上から見た図。
【符号の説明】
【００１０】
１心材
２ファスナー
３ポケット
４携帯電話
【図１】
0003126129.tif 000003
【図２】
0003126129.tif 000004
【図３】
0003126129.tif 000005
【図４】
0003126129.tif 000006
【図５】
0003126129.tif 000007
(57)【要約】【課題】  色数が限定されずデザインに富み、周囲全面に印刷がなされ、印刷面が肌に柔らかく、風合いも良好で、短納期で小ロットにも適した、厚みがあって伸縮性のある紐を提供せんとする。【解決手段】  伸縮紐１は芯部に略正方形のゴム糸２を二個併設し、ゴム糸２，２の周囲を編布３で包含した鞘部を形成し、更に、表面に印刷層４が、インクジェットプリンターを使用しダイレクトに捺染印刷により形成されている。【選択図】  図１
0003126113.tif 000002
【実用新案登録請求の範囲】
【請求項１】
楕円形の断面を有する伸縮糸入り紐の表面に、インクジェット印刷層が形成されていることを特徴とする伸縮紐。
【請求項２】
伸縮糸入り紐を、芯・鞘構成とし、芯部に伸縮糸を用いて紐を形成したことを特徴とする請求項１記載の伸縮紐。
【請求項３】
伸縮糸入り紐に、機能性糸を一部に用いた請求項１又は２記載の伸縮紐。
【請求項４】
機能性糸が静電気防止糸、静電気除去糸またはマイナスイオン発生糸の１種又は２種以上である請求項３記載の伸縮紐。
【考案の詳細な説明】
【技術分野】
【０００１】
本考案は、ヘアーバンド、ブレスレットまたはネックレス等のファンシー雑貨や靴紐等に使用される厚みがあって伸縮性のある紐に関するものである。
【背景技術】
【０００２】
従来、上記用途の紐に於ける模様の創出は、紐を形成する糸の組み目に現れる模様のデザイン性や、紐の表面へ印刷による模様を施すことにより行うのが通例であった。
【考案の開示】
【考案が解決しようとする課題】
【０００３】
組み目の形成によるデザインは、糸の色や組み方を工夫することによって多様な模様を創出し、それなりの良さが認められるも、具象的な絵柄等の模様の創出は不可能であり印刷によって施さねばならない。
しかし、従来のスクリーン印刷は色数が限定され、顔料や樹脂での印刷のため印刷面が硬くなり肌に不快感が残り、周囲全面へ整合した印刷は困難であり、また、伸ばすと絵や文字が割れて印刷面の風合いが崩れる等の問題がある。
そして、図柄の型起こしが必要なため費用が嵩み、納期も長くなってサンプリングするのが難しいため小ロットでの対応に適さないものであった。
【０００４】
また、近時はインクジェットを使用しての転写やダイレクトに印刷をすることも採用しているけれど、厚みのない扁平なものや、厚みがあって幅も広い紐が対象となっている。
しかし、斯かる形態の製品はスマート感が喪失し、例えば髪を束ねたりするヘアーバンドには不向きなものとなるのである。
【０００５】
そこで、本考案は、色数が限定されずデザインに富み、周囲全面に印刷がなされ、印刷面が肌に柔らかく、風合いも良好で、短納期で小ロットにも適した、厚みがあって伸縮性のある紐を提供せんとするものである。
【課題を解決するための手段】
【０００６】
本考案の伸縮紐は、楕円形の断面を有する伸縮糸入り紐の表面に、インクジェット印刷層が形成されていることを特徴とするものである。
芯部に伸縮糸を用い、鞘部に非伸縮性糸を用いて紐を形成したものとしても良く、機能性糸を一部に用い、機能性糸は静電気防止糸、静電気除去糸またはマイナスイオン発生糸の１種又は２種以上とすることもできる。
【考案の効果】
【０００７】
本考案の伸縮紐は楕円形の断面を有するため、厚みを確保できると共に、側面が湾曲しているとはいえ、縁部が丸みのおびた上下面を形成するため、縁の部分にもインクジェットの噴射によるインクがいき渡り縁部にも浸透させることができ、ダイレクトに全面へフルカラーの印刷層を施すことができる効果を有するのである。
【０００８】
その結果、色数が限定されずデザイン性に富み、染料のため印刷面が肌に柔らかく、風合いも良好で、短納期での小ロット生産にも適したものとなり、従来にない厚みがあって伸縮性のある紐を得られるのである。
【０００９】
伸縮紐を、芯・鞘構成とし、芯部に伸縮糸を用いて紐を形成したものは、芯部の伸縮糸を横長四角形上に形成又は構成し、鞘部で包むように形成すれば、容易に楕円形の断面を有する伸縮紐を得られる効果を有するものである。
【００１０】
また、機能性糸を一部に用いたものは、それぞれ機能性糸の静電気防止作用、静電気除去作用またはマイナスイオン発生作用を奏する効果を発揮するものである。
【考案を実施するための最良の形態】
【００１１】
本考案の実施の形態を図面に基づいて説明する。
図１は本考案の一実施の形態を示す伸縮紐１の断面図であり、伸縮紐１は芯部に略正方形のゴム糸２を二個併設し、ゴム糸２，２の周囲を編布３で包含した鞘部を形成し、更に、表面に印刷層４が、インクジェットプリンターを使用しダイレクトに捺染印刷により形成されている。
【００１２】
芯部にゴム糸２を用いているので安定した伸縮となり、鞘部の編布３の網目の伸縮で伸縮糸の伸縮に追随するものであり、編布３は非伸縮糸のみ用いてもよく、一部に伸縮糸を使用したものとしても良い。
また、伸縮紐１は上面及び下面が水平面で、側面は鞘部の編布３で包むため丸くなった扁平な楕円形状となり、インクジェット方式で印刷を行えば、側面の丸くなった上面側（下面側）の側縁の部分にもインクジェットの噴射によりインクが付着し浸透するものとなり、上面と下面を同時に又は別々に印刷して周囲全面に印刷層４を形成するものとなる。
【００１３】
紐１に絵柄５の印刷をダイレクトに捺染印刷することにより、生地の風合いを損なわず、染料を直接生地にのせるためインキが深く浸透して絵柄５が描かれことになり、紐１が伸びても絵柄５が割れるのを防止できるのである。
【００１４】
捺染印刷は繊維生地に染料を使用して行う公知の方法を採用でき、形成した紐を糊付けし、インクジェットプリンターによる印刷層の形成、熱処理及び洗浄処理による工程で任意の絵柄の模様を印刷することができる。
【００１５】
伸縮紐を、図面に示すように、芯・鞘構成とするのは一例であり、また、ゴム糸以外の伸縮糸を用いて芯部を構成したり、或いは一部に用いて組み紐に形成したりして、断面形状がある程度の厚みを有する楕円形となるものであれば良い。
また、糸の一部に静電気防止作用、静電気除去作用またはマイナスイオン発生作用を奏する機能性糸を混在させて伸縮紐を構成することもできる。
【図面の簡単な説明】
【００１６】
【図１】本考案の一実施の形態を示す断面図である。
【図２】本考案の一実施の形態を示す斜視図である。
【符号の説明】
【００１７】
１  紐
２  ゴム糸（伸縮糸）
３  編布
４  印刷層
５  絵柄
【図１】
0003126113.tif 000003
【図２】
0003126113.tif 000004
(57)【要約】【課題】大人への適用は勿論出来るが、子供の身長に合う座当高さに調整することも可能な事務用椅子の提供。【解決手段】座当の下面には蝶々盤が一つ設けてあり、前記蝶々盤の底部には気圧シリンダーが一つ組み付けてあり、前記気圧シリンダーが第一ブッシュに覆われ、前記第一ブッシュの周面には螺旋が設けてあり、且つ台座の中央には第二ブッシュを結合する結合穴が開設してあり、前記第二ブッシュの内周面には螺旋が設けてあり、前記第一ブッシュが前記第二ブッシュに螺合されることを特徴とする事務用椅子。【選択図】図１
0003126119.tif 000002
【実用新案登録請求の範囲】
【請求項１】
座当の下面には蝶々盤が一つ設けてあり、
前記蝶々盤の底部には気圧シリンダーが一つ組み付けてあり、
前記気圧シリンダーが第一ブッシュに覆われ、
前記第一ブッシュの周面には螺旋が設けてあり、且つ台座の中央には第二ブッシュを結合する結合穴が開設してあり、
前記第二ブッシュの内周面には螺旋が設けてあり、
前記第一ブッシュが前記第二ブッシュに螺合されることを特徴とする、
事務用椅子。
【請求項２】
前記第二ブッシュの頂端には環状突起が立設してあり、前記第二ブッシュが前記台座の中央の上面に固定するように、前記環状突起が前記台座の結合穴の周縁に当接することを特徴とする、請求項１に記載の事務用椅子。
【考案の詳細な説明】
【技術分野】
【０００１】
本考案は、事務用椅子に係り、特に、大人への適用は勿論出来るが、子供の身長に合う座当高さに調整することも可能である事務用椅子に関するものである。
【背景技術】
【０００２】
目下、機関、会社や家庭などにおいて、事務用椅子（例えば背当無しタイプ、ソファータイプや移動ローラ付きタイプなど）が広汎に使用されるようになり、事務用椅子に座って事務を処理する際に、ユーザーは、快適に仕事を処理することができ、作業効率も向上になる。
【０００３】
図５に示すように、従来の事務用椅子は、座当１の下面に蝶々盤２が設けてあり、前記蝶々盤２の底部には気圧シリンダー７が組み付けてあり、前記気圧シリンダー７の下端には台座８が結合してあり、これにより、座当１の高さを調整するために、操作レバー９によって前記気圧シリンダー７を制御して、座当１を上昇し又は降下することができる。
【考案の開示】
【考案が解決しようとする課題】
【０００４】
しかしながら、従来の事務用椅子の高さ調整可能範囲は一定であり、この範囲以外の高さに調整することができなく、だが、現代の小学生は事務用椅子に座って宿題を完成することが必要であり、従来の事務用椅子の高さ調整可能範囲は小学生の身長に合わないので、補助装置を使用しないと、小学生は従来の事務用椅子を使用できなく、且つ補助装置の使用はユーザーに対して安全性の配慮が必要であった。
【課題を解決するための手段】
【０００５】
上記欠点を解決するためになされた本願の考案は、座当の下面には蝶々盤が一つ設けてあり、前記蝶々盤の底部には気圧シリンダーが一つ組み付けてあり、前記気圧シリンダーが第一ブッシュに覆われ、前記第一ブッシュの周面には螺旋が設けてあり、且つ台座の中央には第二ブッシュを結合した結合穴が開設してあり、前記第二ブッシュの内周面には螺旋が設けてあり、前記第一ブッシュが前記第二ブッシュに螺合されることを特徴とする事務用椅子であることを要旨としている。
【０００６】
本願の考案では、前記第二ブッシュの頂端には環状突起が立設してあり、前記第二ブッシュが前記台座の中央の上面に固定するように、前記環状突起が前記台座の結合穴の周縁に当接することを特徴とする請求項１に記載の事務用椅子であることを要旨としている。
【考案の効果】
【０００７】
本考案の事務用椅子によれば、大人への適用は勿論出来るが、子供の身長に合う座当高さに調整することも可能である効果がある。
【考案を実施するための最良の形態】
【０００８】
以下、添付図面を参照して本考案の好適な実施の形態を詳細に説明する。
【実施例】
【０００９】
まず、図１を参照する。本考案の事務用椅子は、当該座当１の下面には蝶々盤２が設けてあり（座当および蝶々盤の構造は従来のものと同様なので、その符号を従来のものと同一にし）、前記蝶々盤２の底部には気圧シリンダー３が組み付けてあり、前記気圧シリンダー３が第一ブッシュ４に覆われ、前記第一ブッシュ４の周面には螺旋４１が設けてあり、且つ事務用椅子の台座５の中央には第二ブッシュ６を結合する結合穴５１が開設してあり、前記第二ブッシュ６の内周面には螺旋６１が設けてあり、前記第一ブッシュ４が前記第二ブッシュ６に螺合され、且つ前記第二ブッシュ６の頂端には環状突起６２が立設してあり、前記第二ブッシュ６が前記台座５の中央の上面に固定するように、前記環状突起６２が前記台座５の結合穴５１の周縁に当接する。
【００１０】
また、図２を参照する。螺旋４１，６１により前記第一ブッシュ４を前記第二ブッシュ６に螺合したと、前記気圧シリンダー３が台座５に結合されて一体になり、なお、前記第二ブッシュ６の頂端の環状突起６２が前記台座５の中央の上面に固定され、前記環状突起６２の外径が結合穴５１の内径よりも大きいので、前記環状突起６２が前記台座５の中央の上面に係止し固定され、これにより、ユーザーの体重が重すぎても、前記第二ブッシュ６が台座５から脱出しない。
【００１１】
また、図３と図４を参照する。前記座当１の高さを降下しようとする場合には、前記気圧シリンダー３を利用することの他に、前記第一ブッシュ４を前記第二ブッシュ６に対して回転し降下すると、前記座当１の降下可能の高さはもっと低くなり、逆に、前記気圧シリンダー３によって座当１の高さを上昇する前に、前記第一ブッシュ４を前記第二ブッシュ６に対して回転し上昇すると、前記座当１の上昇可能の高さがもっと高くなる。
【００１２】
上記の説明から明らかなように、従来の事務用椅子に比べると、本考案の調整可能の高さはもっと広くなり、大人への適用は勿論出来るが、子供の身長に合う座当高さに調整することも可能であるので、適用可能の年齢層はもっと広くなる。
【図面の簡単な説明】
【００１３】
【図１】本考案の構造を示す分解斜視図である。
【図２】本考案の構造の組合状態を示す概略図である。
【図３】本考案の実施例の降下状態を示す概略図である。
【図４】本考案の実施例の上昇状態を示す概略図である。
【図５】従来のものの構造を示す概略図である。
【符号の説明】
【００１４】
３        気圧シリンダー            ４        第一ブッシュ
４１      螺旋                      ５        台座
５１      結合穴                    ６        第二ブッシュ
６１      螺旋                      ６２      環状突起
１        座当                      ２        蝶々盤
７        気圧シリンダー            ８        台座
９        操作レバー
【図１】
0003126119.tif 000003
【図２】
0003126119.tif 000004
【図３】
0003126119.tif 000005
【図４】
0003126119.tif 000006
【図５】
0003126119.tif 000007
(57)【要約】【課題】  従来品は、図６のように、矢印方向から押されるとキャップが回動し、鉤口が開放し、危険な状態になることが考えられるものであった。【解決手段】    本願の安全フックは、安全レバー１０の背面１１の一端部と中央部を、取付座７方向へ突出し、軸止９用の側辺１２，１２を設けると共に、背面１１を延長し、開閉キャップ５の側板51の回動方向側面52を越して当接部１３を設けてフック本体３の一側面に当接させ、軸止９点を挟んだ背面１１他端部は略Ｌ字状に形成した操作部１４とした構造である。【選択図】        図１
0003126134.tif 000002
【実用新案登録請求の範囲】
【請求項１】
先端部に鉤部１と基端部に環状部２とを設けたフック本体３に、常に鉤口を閉鎖する方向に附勢するバネ４を有する開閉キャップ５を軸止６し、フック本体３の一側面に立設した取付座７にバネ８を配して軸止９した安全レバー１０を開閉キャップ５の側板５１と当接させることによって常時には開閉キャップ５の回動を阻止し、安全レバー１０を回動させることによって当接を解き開閉キャップ５の回動を許して鉤口の開放を可能とする安全フックにおいて、安全レバー１０の背面１１の一端部と中央部を、取付座７方向へ突出し、軸止９用の側辺１２，１２を設けると共に、背面１１を延長し、開閉キャップ５の側板５１の回動方向側面５２を越して当接部１３を設けてフック本体３の一側面に当接させ、軸止９点を挟んだ背面１１他端部は略Ｌ字状に形成した操作部１４としたことを特徴とする安全フック。
【考案の詳細な説明】
【技術分野】
【０００１】
本願は、高所作業者が墜落防止のために、腰部に装着する安全帯のロープ金具に取付ける安全フックの改良に関するものである。
【背景技術】
【０００２】
一般に、高所で作業を行う場合、作業者の腰部に安全帯を締付け、その安全帯に接続したロープの先端のフックを高所に張設した親綱や適宜の構築物に係合して作業者の墜落防止を図るようにしている。
【０００３】
従来この種のフックは図６に示すような、フック本体の腹部側に断面コ型の開閉キャップを設けて鉤口の開閉用とし、開閉キャップの予期せぬ回動を防止するために、背部側に同じく断面コ型の安全キャップを設けて、開閉キャップの両側板内側へ重合状態に係合させ、安全キャップを握って回動させた時のみ両者の係合が外れ、開閉キャップの回動が可能となるものであった。
【０００４】
従来品の大きな（口径５０ｍｍ：単管パイプを直接係止できる）フックにおいては、矢印方向より何らかの要因で押されても、途中でフック自体が倒れてしまい完全にキャップが押されて鉤部が開放すると言うことはまず有り得ない。
【０００５】
しかしながら前記フックの構造を用いた小型のフックになると、矢印方向より押されると、開閉キャップが回動し、鉤口が開放してしまうことが考えられるものであった。
【特許文献１】実用新案登録第２５４０４２４号公報
【考案の開示】
【考案が解決しようとする課題】
【０００６】
従来の大口径のフックの場合、握る方向（同一線上）に押されると安全キャップ・開閉キャップが回動し、フックの鉤部が開放し、危険な状態になることが考えられるものであった。
よって、開閉キャップと安全レバーの動きを同一線上とせず、異なる方向（クロス方向）より動作させ、その異なる方向より同時に押されないと、開閉キャップは回動しないものである。
【課題を解決するための手段】
【０００７】
本願は、図５に示すように、開閉キャップ５はフック本体３の腹部側から背部側に押さえて回動し、安全レバー１０は、フック本体３側面に設けた操作部１４を側面から押さえて回動し、開閉キャップ５の側板５１側面５２の当接を解かなければ開閉キャップ５は回動しないものである。
【考案の効果】
【０００８】
以上のように本願は、開閉キャップ５と安全レバー１０は、同一線上ではなく、異なる方向（クロス方向）に動作させないと開閉キャップ５が回動せず、安全性の高いフックである。
また、開閉キャップ５を回動し、開閉キャップ５の側板５１側面５２が、当接部１３を押圧しても安全レバー１０の回動方向には力が掛からず安全レバー１０を動かすことはない。
【実施例】
【０００９】
本願の実施例を詳記すると、
先端部に鉤部１と基端部に環状部２とを設けたフック本体３に、常に鉤口を閉鎖する方向に附勢するバネ４を有する開閉キャップ５を軸止６し、フック本体３の一側面に立設した取付座７にバネ８を配して軸止９した安全レバー１０を開閉キャップ５の側板５１と当接させることによって常時には開閉キャップ５の回動を阻止し、安全レバー１０を回動させることによって当接を解き開閉キャップ５の回動を許して鉤口の開放を可能とする安全フックにおいて、安全レバー１０の背面１１の一端部と中央部を、取付座７方向へ突出し、軸止９用の側辺１２，１２を設けると共に、背面１１を延長し、開閉キャップ５の側板５１の回動方向側面５２を越して当接部１３を設けてフック本体３の一側面に当接させ、軸止９点を挟んだ背面１１他端部は略Ｌ字状に形成した操作部１４とした構造を有している。
【００１０】
本願安全フックの鉤口を開閉する開閉キャップ５は、断面コ型であり、その基端部は軸止６用の穴を有し、先端部は鉤口先端との係合用の凹部を有する。また、軸止用の穴の近辺には、フック本体３を越して背部側で、側板５１を橋絡する軸用の穴を有する。
【００１１】
安全レバー１０は、アルミ材を同じく断面略コ型に切削加工したものであるが、
フック本体３の一側面に設けた取付座７に軸止９し、一端部の側壁をフック本体３の側面に当接配置し、開閉キャップ５の側板５１の回動方向側面５２に当接する当接部１３を設け、他端部の側壁を操作部１４とし、操作部１４を押すことにより、フック本体３の側面に当接配置した当接部１３が離れて浮き上がり開閉キャップ５の側板５１の当接を解除するものである。
【図面の簡単な説明】
【００１２】
【図１】本願安全フックの正面図。
【図２】本願安全フックの左側面図。
【図３】本願安全フックの右側面図。
【図４】本願安全フックの鉤口を開放したところの正面図。
【図５】図４の右側面図。
【図６】従来フックの正面図。
【符号の説明】
【００１３】
１  鉤部
２  環部
３  フック本体
４  バネ
５  開閉キャップ
６  軸止
７  取付座
８  バネ
９  軸止
１０  安全レバー
１１  背面
１２  側辺
１３  当接部
１４  操作部
５１  側板
５２  側面
【図１】
0003126134.tif 000003
【図２】
0003126134.tif 000004
【図３】
0003126134.tif 000005
【図４】
0003126134.tif 000006
【図５】
0003126134.tif 000007
【図６】
0003126134.tif 000008
(57)【要約】【課題】  本考案は壁掛け型エアコン室内機のクロスフィン熱交換器とファンローターの埃等を洗浄する際に、エアコン室内機の底面に、ビニール樹脂の袋体を取り付けて、エアコン室内機を洗浄する用具。【解決手段】  本考案はエアコン室内機の底面にビニール樹脂の袋体に着いている４帯のビニール樹脂帯で、エアコン室内機に固定して洗浄液と水を受けて漏れないように、工夫して製作したエアコン洗浄用具である。エアコンクリーニングシートは誰にでも、素早く取り付けることが出来、簡単にエアコンクリーニング作業が可能であり、低価格で購入出来るのが特徴である。【選択図】図３
0003126147.tif 000002
【実用新案登録請求の範囲】
【請求項１】
エアコンディショナーの室内機の底にビニール樹脂からなる袋体に漏斗状の形にして排水ホースを設けた壁掛け型エアコン用洗浄用具。
【請求項２】
前記シート体は、長方形の袋体に漏斗状に傾斜をつけてファンローターに吹きつけたエアコン用洗浄液と洗浄液で溶かした汚れた埃等を水で排出するエアコン用洗浄用具。
【請求項３】
本考案のシート体は取り付け作業が素早く取り付けられるようにビニール樹脂帯で、組み合わせて作成したエアコン用洗浄用具。
【請求項４】
簡素な形状体で且つ無駄のないビニール樹脂帯の取り付け工夫が上手に製作しているので安いコストで用いられるように考案したエアコン用洗浄用具。
【請求項５】
本考案を、ビニール樹脂で作り柔らかい素材でありながら洗浄液と水漏れがしないように、ビニール樹脂帯の使用により補強した優れたエアコン用洗浄用具。
【考案の詳細な説明】
【技術分野】
【０００１】  本考案は、エアコンクリーニングをするにあたってビニール樹脂からなるエアコン用洗浄シートに関する。
【背景技術】
【０００２】  壁掛け型エアコンの洗浄用具は高価で消費者では購入し難い商品であるために通常、エアコン洗浄は専門業者に依頼することで高い費用を支払っている。
【考案の開示】
【考案が解決しようとする課題】
【０００３】  低価格でエアコンクリーニングシートを消費者が購入することで市販の低価格の噴霧器と洗浄液を使用することにより安いコストでエアコンクリーニングすることが可能になる。
【課題を解決するための手段】
【０００４】  本考案は、エアコンクリーニングシートを低コストで製造することが出来る。
【考案の効果】
【０００５】  上述の様に、本考案を安価に購入できて専門業者と同様のエアコンクリーニングができエアコンを夏、冬の期間中、快適なエアコン運転ができる。【０００６】  従来のエアコンクリーニングシートと比べて、簡素化に仕上げ材料費の削減と製作費の節約が出来るのが特徴である。
【考案を実施するための最良の形態】
【０００７】  本考案のエアコンクリーニングシートをエアコン本体の表面カバーを外した後、エアコン本体の底面にエアコンクリーニングシートのビニール樹脂帯で、エアコンの本体に簡単に装着することが出来る。
【実施例】
【０００８】  エアコンクリーニングシートを別紙図面、図１、図２、図３、図４で説明する。Ｂは本考案のエアコンクリーニングシートの本体である。２のビニール樹脂帯は、エアコン本体の裏側に結びつける。１のビニール樹脂帯は天井面に付着する、又はＦの引っかけ棒に付着する。水漏れしない構造なので安心して使用できる。
【産業上の利用可能性】
【０００９】  クロスフィン熱交換器とファンローターに洗浄液を吹きつけて５〜１０分間程経ってから水の入った噴霧器で洗い流す事によりアンモニア臭、ニコチン臭の異臭や埃等を除去するのがエアコンクリーニングの目的である。又、消費電力の節約もなり、地球温暖化の抑制にもなる。
【図面の簡単な説明】
【００１０】
【図１】本考案のエアコンクリーニングシートをエアコン本体に装着した実施例を示す正面図。
【図２】本考案の使用状態を示す平面図。
【図３】本考案の使用状態を示す側面図。
【図４】本考案の使用状態を示す側面図。
【図５】本考案のシート体を形成する為の斜視図。
【符号の説明】
【００１１】  １  ビニール樹脂帯
２  ビニール樹脂帯
３  収塵容器
Ａ  壁掛け型エアコン
Ｂ  ビニール樹脂袋体
Ｃ  ホース
Ｄ  ハンディかん
Ｅ  押しピン
Ｆ  引っかけ棒
Ｇ  クリップ
【図１】
0003126147.tif 000003
【図２】
0003126147.tif 000004
【図３】
0003126147.tif 000005
【図４】
0003126147.tif 000006
【図５】
0003126147.tif 000007
【手続補正書】
【提出日】平成18年7月5日(2006.7.5)
【手続補正１】
【補正対象書類名】実用新案登録請求の範囲
【補正対象項目名】全文
【補正方法】変更
【補正の内容】
【実用新案登録請求の範囲】
【請求項１】
エアコンディショナーの室内機の底にビニール樹脂からなる袋体に漏斗状の形にして排水ホースを設けた壁掛け型エアコン用洗浄用具。
【請求項２】
前記袋体が、長方形であることを特徴とする請求項１記載の壁掛け型エアコン用洗浄用具。
【請求項３】
前記袋体の前方側周端の両端に先端の固定部分を有する１対のビニール樹脂帯を設けたことを特徴とする請求項１又は２記載の壁掛け型エアコン用洗浄用具。